(57)【要約】  ディスプレイにおいて、能動マトリクス配列の断線の集積修復構造が、有効表示領域ＺＡ周辺でハーフリングを有する導体修復要素Ｅｋを使用する。各修復要素は、ハーフリングの２本のオープンレッグと交差する配列の導線の１個のグループだけの修復に割り当てられる。断線は次いで、修復要素のハーフリングの２本のオープンレッグを用いて当該導線の２個の交差箇所の各々で接続を行うことにより修復される。ループ閉鎖は少なくとも、２本のオープンレッグを接続するセグメントにより行われる。  修復構造は、導線上の浮遊結合および帯電を最小化し、多数の導線の修復が可能でありながら安価である点が好都合である。特に、大型ディスプレイまたは高解像度ディスプレイに適している。
2013519924.tif 000002
【特許請求の範囲】
【請求項１】
能動マトリクスディスプレイであって、前記能動マトリクスが、第１の方向に敷設された導線（Ｌｊ）の第１の組（ＬＤ）と、前記第１の方向に直交する第２の方向に敷設された導線（ｌｉ）の第２の組（ＬＳ）との交差領域により画定される有効領域（ＺＡ）、および前記有効表示領域（ＺＡ）外の前記能動マトリクス基板に形成された、前記第１および第２の導線の組のうち少なくとも１組の導線（ＬＤ、ＬＳ）における断線故障の修復要素を含んでいて、各修復要素（Ｅｋ）が、前記有効領域の両側で互いに反対側に配置された２本のオープンレッグを有するハーフリングで形成された導線であり、前記少なくとも１組の導線において、
−  前記導線の組は、導線のグループに分割されていて、
−  前記組の各導線グループには１個の修復要素だけが割り当てられていることにより、前記導線グループ内の１導線の前記修復が可能になり、前記修復要素の２本のオープンレッグの各々が、少なくとも前記有効領域のいずれかの側で前記修復要素が割り当てられた前記導線グループの導線と交差し、
−  各修復要素が導体の幅を有し、前記幅は、
−  前記修復要素が割り当てられた前記導線グループの導線と交差する前記交差領域に対応する修復領域（ＺＲ）の長さにわたり実質的に一定であり、レーザーによる修復を可能にするように前記修復領域における前記幅が画定されていて、
−  前記修復領域外では可変であり、導線の容量結合およびアクセス抵抗を最適化するように、前記マトリクスの導線との交差領域外における幅が前記交差領域における幅よりも広いことを特徴とする能動マトリクスディスプレイ。
【請求項２】
前記交差領域外の修復要素の幅が、前記修復領域内の幅に等しいかまたはより大きい、請求項１に記載のディスプレイ。
【請求項３】
前記有効領域と前記マトリクスの一辺の間で前記マトリクスの周辺領域に配置された前記能動マトリクス基板にドライバ（群）が集積された種類である、請求項１に記載のディスプレイにおいて、前記能動マトリクス配列の前記第１および第２の導線の組のうち、ある導線（Ｌｊ）の組の前記修復要素（Ｅｋ）が、前記能動マトリクス基板上で、前記ドライバと前記マトリクスの一辺との間で、もう一方の組の導線（Ｌｉ）を制御する集積ドライバ（ＤＬｉ）より遠方に配置されているディスプレイ。
【請求項４】
各修復要素の前記ハーフリングの前記オープンレッグが、対応する修復領域（ＺＲ）のすぐ後ろで終端する、請求項１〜３のいずれか１項に記載のディスプレイ。
【請求項５】
前記修復要素の前記ハーフリングは、前記セグメントの半数が前記オープンレッグを前記有効領域の一方の側に取り付けられ、半数をもう一方の側に取付けられるように分けられている、請求項１〜４のいずれか１項に記載のディスプレイ。
【請求項６】
前記修復要素の前記ハーフリングの全ての取付セグメントが前記有効領域の同じ側にある、請求項１〜４のいずれか１項に記載のディスプレイ。
【請求項７】
前記修復要素（Ｅｋ）が、前記能動マトリクス基板の表面に堆積された第１の導体レベル（Ｍ１）に形成されていて、前記マトリクスの導線が、少なくとも１個の絶縁層（Ｉ１）により前記第１の導体レベル（Ｍ１）から分離されていてそれよりも上の第２の導体レベル（Ｍ２）にあるこれらの導体要素と交差する、請求項１〜６のいずれか１項に記載のディスプレイ。
【発明の詳細な説明】
【技術分野】
【０００１】
本発明は、能動マトリクスディスプレイのアドレス線の破断の修復に関する。本発明は特に液晶ディスプレイまたは有機発光ダイオードに適用できる。
【背景技術】
【０００２】
図１に模式的に示すように、能動マトリクスディスプレイは通常、当該ディスプレイの画像ドットのアドレス指定を可能にする導線の２次元マトリクス配列を含んでいる。当該配列は、各導電が第１の方向に敷設された導線の第１の組ＬＳ、および導線の第１の組から電気的に絶縁されていて導線の第１の組に直交する第２の方向に敷設された導線の第２の組ＬＤを含んでいる。導線同士が交差する領域により画像ドットＰｉ，ｊを含むディスプレイの有効領域ＺＡが画定される。導線の終端は、有効領域外にあって、外部のまたは集積された、対応制御回路ＤＸ、ＤＹに接続されている。
【０００３】
実際には、ディスプレイの製造工程中において、有効領域ＺＡにおいて導線の断線が生じる可能性がある。断線はまた、２本の導線間の短絡故障を分離するために生じる場合もある。ディスプレイのアドレス線が断線した場合、当該導線の終端に印加された制御信号は導線のもう一方の終端まで伝搬しないであろう。すなわち、当該導線に関連付けられた画像ドットにアクセスすることが不可能になって、重大な故障となる。
【０００４】
ディスプレイの製造歩留りを向上させるべく、これらの断線故障の修復は通常、レーザーにより行われる。当該レーザー修復は、ディスプレイの有効領域外において、両終端から導線上への信号の伝搬が可能になるようなやり方での、断線した導線の両終端のループ閉鎖に基づいている。実際には、修復領域において、修復対象の導線の両終端の各々と各導体の間の接続がレーザーにより実現し、両終端が閉ループを構成する。このループ閉鎖は一般に、図２に示す２通りの方法で行われる。
【０００５】
第１の方法は、有効領域ＺＡの外の一部分において能動マトリクス配列を担持する基板Ｓ上に形成された、修復用導電リングｒ１、ｒ２、ｒ３、ｒ４を含む修復構造を使用する。これらのリングは配列の導線と交差している。交差領域において、配列およびリングｒ１、ｒ２、ｒ３、ｒ４の導線は少なくとも１個の絶縁層により分離されている。次いで、本例における断線Ｌ１が、レーザーにより、修復用リングの１個、すなわち本例ではｒ１と、当該導線の２個の交差箇所ｐ１、ｐ２との接続を形成することにより修復される。デコーダＤＹ１により印加された信号は、導線Ｌ１の両側を介して、すなわち、当該回路ＤＹ１を駆動する側を介して、および２個の接点ｐ１とｐ２の間にあるリングｒ１の部分を介して導線Ｌ１のもう一方の側を介して、伝搬される。
【０００６】
配列の基板上に集積されたそのような修復構造は通常、小型ディスプレイに使用される。これは、当該構造においては、修復すべき故障の数は、最大でも修復用リングの数と同じであるためである。ディスプレイが大きいほど、またはその解像度が高いほど、能動マトリクス配列の導線の潜在的な数が大きくなる。基板上の修復用リングの数を増やすのは困難である。更に、レーザーの影響範囲は、２個の金属間の接触を形成するが、導線Ｌ１の断線を引き起こさないように、表面積が最小限でければならない。レーザー修復は従って、導線とリングの間で、それらを分離する絶縁体を貫通して２個の導体レベル間を接合するのに十分に大きい交差表面積を仮定している。このリング／導線交差表面積は、無視できない浮遊容量を誘導し、導線の両終端の間で回路を閉じるリングの部分により、導線の等価抵抗が増大する。その結果、このようなリングにより修復された導線のＲＣ負荷は、配列の他の導線に対して増大する。大型ディスプレイまたは高解像度ディスプレイの場合、修復された導線の他の導線に対するＲＣ負荷のこの増大は画面上で目立つため美観が低下する。
【０００７】
同じ図２に示す第２の方法は、外部の相互接続回路を有する修復構造を用いてループ閉鎖を行う。これは、各グループに導電修復セクションの組を関連付けたことにより、導線をグループに分割することに基づいている。これらのセクションは、能動マトリクス配列の基板上に、当該セクションが修復対象とするグループの導線に直交して形成され、更に、基板上の接触領域に接続されていて、これらの接触領域に接続される外部回路によるループ閉鎖を可能にする。
【０００８】
本例では、当該修復構造は図２の右から左に延びる導線、例えばｌ１に対して用いられる。
【０００９】
セクションは、有効表示領域ＺＡの両側、すなわち右側および左側に沿って、且つ配列の一方の側の各導電セクション（例えばｔ１ａ）が、当該配列のもう一方の側の対向する導電セクション（本例ではセクションｔ１ｂ）に対応するように対で分布している。各修復要素の組はセクションのいくつかの対をグループ化して、セクションが各々の側に平行に配置され、且つ当該組のセクションと交差する導線の修復に割り当てられる。各組は、それに含まれる対の数と同じ数の断線の修復を可能にする。
【００１０】
各種の接続セクションをＴＡＢ（「Ｔａｐｅ  Ａｕｔｏｍａｔｉｃ  Ｂｏｎｄｉｎｇ」）回路またはＰＣＢ（「Ｐｒｉｎｔｅｄ  Ｃｉｒｃｕｉｔ  Ｂｏａｒｄ」）等の印刷回路への接続用に設けられた接触領域に接続する接続導線が設けられている。本例では従って、各導線のグループに対して各々の側に印刷回路、すなわち第１のグループに対してＰＣＢ１およびＰＣＢ１’、第２のグループに対してＰＣＢ２およびＰＣＢ２’が設けられている。回路ＰＣＢ１およびＰＣＢ２には、対応する導線ＤＸ１、ＤＸ２を制御する回路が組み込まれている。回路ＰＣＢ１’およびＰＣＢ２’は一般に、アンプＡＭＰ１およびＡＭＰ２を含んでいて、修復された導線で利用可能な電流を増大させるべくユニティゲインが設計されている。
【００１１】
次いで、断線、本例ではｌ１は、修復要素の対ｔ１ａ、ｔ１ｂにより当該導線の２個の交差箇所ｐ３、ｐ４の各々で接続を形成することにより修復される。各対、本例では（ｔ１ａ、ｔ１ｂ）または（ｔ２ａ、ｔ２ｂ）により当該グループの導線を修復することができる。図に簡略に示す例において、当該導線は２個のグループに分けられ、各グループは対応する制御回路ＤＸ１、ＤＸ２により駆動されると共に、各グループは２対の修復セクションを含んでいて、各グループ内で最大でも２本の断線を修復することができる。実際に、この解決策は一般に大型ディスプレイに採用される。２３０４×３０７２ピクセルを有するディスプレイに適用される実際的な例において、２３０４本の導線を各々３８４本の導線を含む６個のグループに分割することができ、１グループ当たり３対の修復セクションの組ができる。
【００１２】
この修復構造は、特定の外部相互接続を有し、且つ広範なグループにわたり断線の修復が分布されるため、多数の故障を修復することができる。従って、大型ディスプレイまたは高解像度ディスプレイにおいて有利である。しかしこれは、固有の、換言すればカスタマイズされた回路である外部相互接続回路を使用するために高価であるという短所がある。更に、高度に容量性である配列の導線のためにこれらの相互接続回路に信号の増幅回路を組み込むことが必要な場合がある。
【発明の概要】
【発明が解決しようとする課題】
【００１３】
従ってこれらの大型ディスプレイまたは高解像度ディスプレイの場合、より安価な他の修復構造を見つける方がよいであろう。所与の工場および製品について数が推定できる全ての起こり得る断線故障の修復を、ディスプレイの特性を劣化させることなく、換言すれば浮遊抵抗および容量の観点からの修復構造の影響を減らすことにより、且つ特定の外部相互接続回路に頼ることなく可能にすることが必要である。
【００１４】
本発明は、この問題の解決策を提供するものであり、各々が有効表示領域の周辺に形成されたハーフリングを含む導電修復要素を用いる能動マトリクス配列の断線用の修復構造において、各要素／ハーフリングが、当該ハーフリングの２本のオープンレッグと交差する配列の導線の１個のグループだけの修復に割り当てられている。次いで断線は、当該導線の修復要素のハーフリングの２本のオープンレッグとの２個の交差箇所の各々で接続を実現することにより修復される。ループ閉鎖は少なくとも、ハーフリングの２本のオープンレッグを接続するセグメントにより実現される。
【課題を解決するための手段】
【００１５】
本発明は従って、能動マトリクスディスプレイに関し、当該能動マトリクスは、第１の方向に敷設された導線の第１の組と、第１の方向に直交する第２の方向に敷設された導線の第２の組との交差領域により画定される有効領域、および前記有効表示領域外の能動マトリクス基板に形成された、前記第１および第２の導線の組のうち少なくとも１組の導線における断線故障の修復要素を含んでいて、各修復要素が、有効領域の両側で互いに反対側に配置された２本のオープンレッグを有するハーフリングで形成された導線であり、前記少なくとも１組の導線において、
−  前記導線の組は、導線のグループに分割されていて、
−  前記組の各導線グループには１個の修復要素だけが割り当てられていることにより、当該導線グループ内の１導線の修復が可能になり、当該修復要素の２本のオープンレッグの各々が、少なくとも当該有効領域のいずれかの側で当該修復要素が割り当てられた前記導線グループの導線と交差し、
−  各修復要素が導体の幅を有し、当該幅は、
−  当該修復要素が割り当てられた導線グループの導線と交差する交差領域に対応する修復領域の長さにわたり実質的に一定であり、レーザーによる修復を可能にするように当該修復領域における前記幅が画定されていて、
−  この修復領域外では可変であり、導線の容量結合およびアクセス抵抗を最適化するように、マトリクスの導線との交差領域外における幅が前記交差領域における幅よりも広いことを特徴とする。
【００１６】
本発明の一態様によれば、能動マトリクス基板上でドライバ（群）が集積された種類のディスプレイの場合、能動マトリクス配列の前記第１および第２の導線の組のうち、一組の導線の修復要素が、能動マトリクス基板上で、もう一方の組の導線を制御する集積ドライバより遠方に配置されている。
【００１７】
好適には、各修復要素のハーフリングのオープンレッグは対応する修復領域のすぐ後ろ、すなわちドライバとマトリクスの一辺との間で終端している。
【００１８】
本発明の他の利点および特徴は以下の説明および添付図面に示す。
【図面の簡単な説明】
【００１９】
【図１】既述のように、能動マトリクスディスプレイの総観図である。
【図２】従来技術による能動マトリクスの断線をレーザー修復する構造を示す。
【図３】本発明の第１実施形態による修復構造を示す。
【図４−６】本発明の修復構造の他の実施形態を示す。
【図７】集積ドライバを有するディスプレイに適用可能な１変型例を示す。
【図８】本発明による２組の修復要素、すなわち一方がマトリクスの選択線の修復用、他方がマトリクスのデータ線の修復用である修復要素を含むディスプレイのブロック図である。
【図９ａ−９ｃ】本発明による修復構造の修復要素のトポロジー図である。
【図１０】導線（断面ＡＡ’）に沿った交差領域の断面図である。
【図１１】修復領域外のオープンレッグ（断面ＢＢ’）に沿った交差領域の断面図である。
【図１２】導線（断面ＡＡ’）に沿った交差領域の断面図である。
【図１３】修復領域内のオープンレッグ（断面ＢＢ’）に沿った交差領域の断面図である。
【発明を実施するための形態】
【００２０】
図３に、本発明による、能動マトリクス配列の基板上に完全に集積された修復構造を示し、本例では、図の上下方向に敷設された導線ｌｊ、換言すれば通常は当該マトリクスのデータ線の修復に用いる。
【００２１】
本発明によれば、Ｎ本の導線Ｌｊを含んでいるディスプレイにおいて、これらの導線はＮ／ｋ本連続した導線のグループとしてグループ化されていて、各グループに修復要素Ｅｋが割り当てられている。修復構造は従って、ｋ個の修復要素Ｅｋ、すなわちＮ／ｋ本の導線のグループ毎に１個を含んでいる。修復要素は、有効領域の両側において互いに反対側に配置されていて当該修復要素が割り当てられた導線グループの少なくともＮ／ｋ本の導線と交差する２本のオープンレッグを有するハーフリングを含んでいる。
【００２２】
一例においてＮは３０７２（３８４列×８グループ）に等しく、従ってグループ毎に１個の修復要素、すなわち図でＥ１〜Ｅ８と表記された合計８個の要素で形成されている。導線Ｌｊを左から右に１〜３０７２と付番した場合、Ｅ１は例えば導線１〜３８４のうちの断線の修復に割り当てられ、Ｅ２は導線３８５〜７６８のうちの断線の修復に、Ｅ３は導線７６９〜１１５２のうちの断線の修復に、以下同様にＥ８は導線２６８９〜３０７２のうちの断線の修復に割り当てられる。
【００２３】
図３に示す実施形態において、各修復要素はハーフリングである。当該修復要素に割り当てられたグループのＮ／ｋ本の導線が交差する各オープンレッグ上の領域は、これらの導線のレーザー修復領域である。これらの修復領域ＺＲを、図面の破線パターンの矩形フレームで示す。図面の修復領域のこの表現により、各修復要素を１個の導線グループだけに割当てることができ、オープンレッグ毎に１個、且つ有効領域ＺＡの両側で互いに反対側にある各修復要素の２個の修復領域の位置を明確に示すことができる。
【００２４】
図の導線Ｌｆ等の断線は従って、当該導線に割り当てられた修復要素、本例ではＥ７の各オープンレッグのレーザー修復領域にレーザーを使用して、この導線Ｌｆと各オープンレッグの間に２個の接続ｃ１およびｃ２を設けることにより修復できる。
【００２５】
修復要素がハーフリングである本例示的実施形態において、ハーフリングの２本のオープンレッグを結合するセグメントの反対側の有効領域側に修復導体が存在しないため、修復要素とアドレス線の間の交差により誘導される容量結合が最小化されることに注意されたい。実際、このため有効領域の当該側ではアドレス線の交差が生じていない。
【００２６】
修復要素は、有効領域外に、オープンレッグが導線Ｌｊと交差するように配置されている。
【００２７】
特にディスプレイに固有のアドレス指定特徴を考慮することにより、この場合も修復要素と導線の交差に起因する容量結合を極力最小化する観点から、各種の実施形態が可能である。図３〜６に、ディスプレイにおけるアドレス指定の各種の可能性を利用する、可能な実施形態を示す。これらの図全体を通じて、本発明による各修復要素の修復領域ＺＲを上と同様に示す共に、有効表示領域ＺＡを縞模様で示す。
【００２８】
図３の実施形態は特に、マトリクスの導線群Ｌｊに直交していて画像ドットの行の選択線に対応する導線群ｌｉのあるものが左、例えば回路ＤＸＬにより偶数導線から、その他のものは右、例えば回路ＤＸＲにより奇数導線からアドレス指定されるディスプレイに適している。
【００２９】
本実施形態において、修復要素半分であるＥ１〜Ｅ４には有効領域ＺＡの左側のハーフリングの２本のオープンレッグが取り付けられたセグメントが配置され、他の半分Ｅ５〜Ｅ８には有効領域の右側のハーフリングの２本のオープンレッグが取り付けられたセグメントが配置されている。左側では、修復要素Ｅ１〜Ｅ４は本例におけるｌ２、ｌ２０８４等の偶数導線としか交差できず、修復要素Ｅ５〜Ｅ８はｌ１、ｌ２０８３等の奇数導線としか交差できない。
【００３０】
図４に、本実施形態の１変型例を示し、修復要素のオープンレッグがそれらの修復領域のすぐ後ろで切断されているかまたは終端している。交差領域は従って、各修復要素が少なくとも修復する必要がある導線グループと交差するのに必要最小限に狭められている。これにより、図３の実施形態とは対照的に修復要素の長さがもはや実質的に等しくないため、導線群Ｌｊとの結合に差異が生じる。しかし、結合におけるこのような差異は、マトリクスの画像ドットをアドレス指定するための標準的な条件下では、データ線Ｌｊの帯電時間が画像ドットの帯電時間に比べて無視できるため、その観点から実際には問題ではない。
【００３１】
図５に、図３の実施形態の別の変型例を示し、修復要素のセグメントが全て同じ側、本例では右側にある。このような実施形態は特に、マトリクスの導線群Ｌｊに直交していて画像ドットの行の選択線に対応する導線群ｌｉの全てが回路ＤＸ（または図２の回路ＤＸ１、ＤＸ２のような複数の制御回路）により同じ側からアドレス指定されるディスプレイに適している。本実施形態では、導線群ｌｉはどの修復要素、特にセグメントＳＧのいずれとも交差しない。従って、不要な修復要素／アドレス線の結合が最小化される。
【００３２】
図６は、図４の変型例に対応する図５の実施形態の変型例であり、これによると、各修復要素のオープンレッグがその修復領域のすぐ後ろで切断されている。
【００３３】
図７に、集積ドライバを有するディスプレイに適用可能な本発明の別の実施形態を示す。「集積ドライバ」と呼ばれるドライバが能動マトリクス基板上の有効領域間とマトリクスの一辺との間の周辺領域に形成されている。より具体的に示す例において、ｌｉと表記された選択線と呼ばれる導線を外部から受信する制御信号Ｓｃｏｍに基づいて駆動する、図内でＤｌｉと表記された導線ドライバがある。本例でもまた、これらのドライバは能動領域の両側に重複配置されていて、各導線ｌｉの両端を介して制御信号を送信することができる。導線ドライバの重複配置により、レーザーによる修復を行うことなく断線故障を直接直すことができる。従って、そのような構造により、導線Ｌｊの断線故障の修復はレーザーだけで行われる。
【００３４】
利点として、導線ドライバＤｌｉにより駆動される導線ｌｉに直交するアドレス線Ｌｊの修復要素Ｅｋは、これらのドライバより遠方に、換言すればドライバとマトリクスの一辺の間に配置されているため、能動領域から始めて外側へ、最初にこれらのドライバＤｌｉ、次いで修復要素Ｅｋが見出される。この構成が好都合なのは、この場合修復要素Ｅｋが、数が減った制御信号Ｓｃｏｍ以外、これらのドライバＤｌｉにより駆動される導線ｌｉのいずれとも交差しないためである。修復要素／アドレスおよび／または制御線交差により誘導される浮遊結合容量は従って最適化（最小化）される。導線Ｌｊの修復要素および導線ｌｉのドライバに適用できることは、導線ｌｉの修復要素および導線Ｌｊの制御ドライバにも同様に適用できる。
【００３５】
今説明した実施形態は、表示すべきビデオ情報が送信されるデータ線に対応する導線Ｌｊにおける断線の修復に対応している。新規ビデオデータの適用が望まれる画像ドットの行を選択する選択線ｌｉは、通常、能動マトリクス基板の表面に形成されており、これらの断線故障が生じ難い。にもかかわらず、これらの導線に修復構造を設けることは望ましいであろう。
【００３６】
図８は従って、マトリクスの２組の導線ｌｉおよびＬｊの断線の修復に対する本発明の適用を示し、修復要素Ｅ（ｌ）ｋの第１の組Ｊｌが有効領域外のそれらのセグメントＳＧｌと共に導線ｌｉに平行な辺に沿って配置され、修復要素Ｅ（Ｌ）ｋの第２の組ＪＬが有効領域外のそれらのセグメントＳＧｌと共に導線Ｌｊに平行な辺に沿って配置されている。
【００３７】
図９ａ〜９ｃに本発明の別の態様を示し、各修復要素毎に、交差領域にあるか否か、および問題の修復要素の修復領域の交差領域にあるか否かに応じて変化する導体の幅を判定することにより結合が最小化される。修復領域をグレーの領域で示す。
【００３８】
より具体的には、図９ａに、本例では各々導線Ｌ０〜Ｌ５、Ｌ６〜Ｌ１０、Ｌ１１〜Ｌ１５と交差する３個の修復要素Ｅ１、Ｅ２およびＥ３の下部オープンレッグの詳細を示す。
【００３９】
本例では、これらのオープンレッグは各々自身に割り当てられた導線と共に、これらのうち１本を修復すべく、交差領域に対応する修復領域の後ろで終端している。
【００４０】
本発明の一態様によれば、修復領域において、各修復要素は、導体の実質的に一定の幅ｅ１を有し、レーザー修復と互換性がある。
【００４１】
この修復領域において、修復要素と交差する導線Ｌｉは、導体の実質的に等しい幅ｅ２を有している。通常、修復要素と、それが交差し且つ修復可能な導線との間の導体の交差領域は、２０×２０または３０×３０平方マイクロメートル程度である。
【００４２】
修復領域外では、アクセス抵抗および／または導体と交差する導線との結合容量を最適化すべく、修復要素の導体の幅は可変的である。
【００４３】
特に、各修復要素毎に、修復要素と、前記修復領域外で当該修復要素が交差する能動マトリクス配列の各導線、換言すれば導線Ｌｊおよび／または導線ｌｉの各導線、との間の容量結合を、当該修復要素がこれらの導線と交差する限り、減らすことが目的であって、これらを修復することは意図していない。本発明の一態様によれば、修復要素毎に、修復領域外の各交差領域において、修復要素の導体の幅が幅ｅ１'＜ｅ１まで狭められる。好適には、この同じ交差領域において、当該位置で修復導体が交差する導線、本例では導線Ｌｊ、の導体の幅もまた、幅ｅ２'＜ｅ２まで狭められる。ｅ１’とｅ２’は実質的に等しい。一つの実際的な例において、これらは４ミクロン程度である。
【００４４】
本発明の別の態様によれば、修復領域外および交差領域ｔ外では、好適には、修復要素のアクセス抵抗を最小化すべく、修復要素の導体の幅はより広く、例えば修復領域内の導体の幅ｅ１に等しいかまたはより広い。
【００４５】
図９ｂ、９ｃに、アドレスおよび／または制御線との交差領域に応じて上に示した３個の特徴、すなわち修復領域ＺＲにおけるレーザー修復の幅、交差領域ＺＨＣＲ外に領域における最小アクセス抵抗を得るべく最適化された可能な最大幅、修復領域ＺＣＲ外の交差領域における最小結合容量を得るべく最適化された可能な最小幅を組み合わせた、本発明による修復要素の導体の一般的な形式、本例では能動マトリクス基板表面のハーフリングを模式的に示す。図９ｂは、図７に示す実施形態に対応する修復要素に対応しており、修復要素は、集積ドライバおよび導線Ｌｊの制御信号Ｓｃｏｍ以外、導線ｌｉのいずれとも交差しない。図９ｃは、図４に示す実施形態に対応しており、修復要素は導線ｌｉおよび導線Ｌｊと交差している。修復要素により生じる導線の帯電を最小化する際に考慮すべき別の要素は、通常は別の基板に形成され、図１０に模式的に示すように能動マトリクス回路の最後のレベルより上に置かれた対向電極ＣＥの導電面である。当該導電面は、必ずしも有効表示領域に限られている訳ではなく、少なくとも一部は周辺を覆っていてよい。当該導電面と修復要素の結合も従って考慮に入れなければならない。特に、修復領域外の導体の幅の変動は、容量結合およびアクセス抵抗を最適化するための妥協から生じている。更に、好適には修復要素を対向電極導電面から最も遠い導体レベルに、換言すれば能動マトリクス基板の表面に形成することにより、導電面との結合が最小化される。修復要素の導線との交差領域における各種の対応導電レベルを、図９ａの軸ＡＡ’およびＢＢ’に沿った断面における修復領域ＺＲ内の交差である場合は図１０、１１に示し、図９ａの軸ＣＣ’およびＢＢ’に沿った断面における修復領域外の場合は図１２、１３に示す。本発明による修復領域を図にグレーの領域で示す。
【００４６】
図１０に、導線Ｌ３との交差領域における、修復要素Ｅ１に沿った断面を示す。修復要素は、透明なガラスまたはプラスチックである能動マトリクス基板の直上、導体レベルＭ１上に形成される。この導体レベルは通常、Ｍｏ、Ｔｉ、Ａｌまたはこれらの金属の任意の組合せまたは類似特性（低抵抗、ハンダ付けへの適合性）を有する金属から作られている。導線Ｅ３は、レベルＭ１の上の導体レベルＭ２に形成されていて、少なくとも１個の絶縁層Ｉ１、例えば窒化ケイ素（ＳｉＮ）により当該レベルＭ１から絶縁されている。少なくとも１個の他の絶縁およびパシベーション層Ｉ２が当該レベルＭ２の最上部に形成されている。図示しない変型例として、２個の導体レベルＭ１とＭ２の交差領域における、レベルＩ１とＭ２の間で、第２の導体レベルＭ２の直下でのアモルファスシリコンのスラブの局所堆積により、レーザー修復を妨げることなく、２レベル間の絶縁性が向上する。
【００４７】
レーザー修復ｒｐｌがある場合、図に破線で模式的に示すように、交差領域において絶縁体の穴および２個のレベルＭ１とＭ２との間に溶接がなされる。
【００４８】
図１１に、修復領域における交差領域を、本例では修復要素Ｅ１と導線Ｌ１の交差に対応する修復要素の軸に沿った断面ＢＢ’として示す。
【００４９】
図１２、１３は、修復領域外の交差領域における断面図である。図１２は、本例では修復要素Ｅ２と導線Ｌ５の交差に対応している。図１３は、本例では修復要素Ｅ２と導線Ｌ２の交差に対応している。これらの２図は、互いに対向する導体の表面積、従って結合容量を減らすべく導体の幅が狭められた状態を示す。図示しない変型例として、２個の導体レベルＭ１とＭ２の交差領域における、レベルＩ１とＭ２の間で、第２の導体レベルＭ２の直下でのアモルファスシリコンのスラブの局所堆積により、２レベル間の絶縁性が向上する。
【００５０】
今説明した本発明は、提示した例示的実施形態に限定されない。特に、導線の制御回路が外付けであるか内蔵であるか、それらが駆動する導線の両側に設置されているか否か、および選択線とデータ線の各々の故障率、並びに各ディスプレイに用いるアドレス指定の種類に応じて、最も適切な修復構造が決定される。
【００５１】
更に、提示する図面は修復要素をハーフリングとして示しているが、本発明はこの実施形態に限定されない。特に、ハーフリングは、本発明の範囲から逸脱することなく、任意の手段、例えば、従来技術（図１）による外部ループにより閉じることができる。
【図１】
2013519924.tif 000003
【図２】
2013519924.tif 000004
【図４】
2013519924.tif 000005
【図５】
2013519924.tif 000006
【図６】
2013519924.tif 000007
【図７】
2013519924.tif 000008
【図８】
2013519924.tif 000009
【図９ａ】
2013519924.tif 000010
【図９ｂ】
2013519924.tif 000011
【図９ｃ】
2013519924.tif 000012
【図３】
2013519924.tif 000013
【図１０】
2013519924.tif 000014
【図１１】
2013519924.tif 000015
【図１２】
2013519924.tif 000016
【図１３】
2013519924.tif 000017
【手続補正書】
【提出日】平成24年10月19日(2012.10.19)
【手続補正１】
【補正対象書類名】特許請求の範囲
【補正対象項目名】全文
【補正方法】変更
【補正の内容】
【特許請求の範囲】
【請求項１】
能動マトリクスディスプレイであって、前記能動マトリクスが、配列の導線（Ｌｊ）の第１の組（ＬＤ）と、前記配列の導線（ｌｉ）の第２の組（ＬＳ）との交差領域により画定される有効領域（ＺＡ）を含み、前記第１および第２の組のうち少なくとも１組の前記配列の導線（ＬＤ、ＬＳ）について、前記有効表示領域（ＺＡ）外の前記能動マトリクス基板に形成された、断線故障の修復要素を含んでいて、
−  各修復要素（Ｅｋ）が、前記有効領域の両側で互いに反対側に配置された２本のオープンレッグを有するハーフリングで形成された導線であり、
−  前記導線の組は、導線のグループに分割されていて、
能動マトリクスが、導線のグループの数と同数の修復要素（Ｅｋ）を含み、各修復要素が単一の導線グループ内の１本の導線の前記修復に割り当てられていて、
−  単一の導線グループに割り当てられた前記修復要素の前記２本のオープンレッグが少なくとも、前記有効領域のいずれかの側で前記修復要素が割り当てられた前記導線グループの前記導線と交差し、
前記オープンレッグが導体の幅を有し、前記幅は、
−  前記修復要素が割り当てられた前記導線グループとの前記交差領域に対応する修復領域（ＺＲ）の長さにわたり実質的に一定であり、且つ前記修復領域外では可変であることを特徴とする能動マトリクスディスプレイ。
【請求項２】
前記関連付けられた修復領域外では、修復要素の導体幅が可変であり、前記導線の容量結合およびアクセス抵抗を最適化するように、前記マトリクスの導線との交差領域外の幅が前記交差領域内におけるよりも広い、請求項１に記載のディスプレイ。
【請求項３】
前記交差領域外の修復要素の前記導体幅が、前記修復領域内における前記幅に等しいかまたはより大きい、請求項２に記載のディスプレイ。
【請求項４】
前記有効領域と前記マトリクスの一辺の間で前記マトリクスの周辺領域に配置された前記能動マトリクス基板にドライバ（群）が集積された種類である、請求項１〜３のいずれか１項に記載のディスプレイにおいて、前記能動マトリクス配列の前記第１および第２の導線の組のうち、ある導線（Ｌｊ）の組の前記修復要素（Ｅｋ）が、前記能動マトリクス基板上で、前記ドライバと前記マトリクスの一辺との間で、もう一方の組の導線（Ｌｉ）を制御する前記集積ドライバ（ＤＬｉ）より遠方に配置されているディスプレイ。
【請求項５】
各修復要素の前記ハーフリングの前記オープンレッグが、対応する修復領域（ＺＲ）のすぐ後ろで終端する、請求項１〜４のいずれか１項に記載のディスプレイ。
【請求項６】
前記修復要素の前記ハーフリングは、前記セグメントの半数が前記オープンレッグを前記有効領域の一方の側に取り付けられ、半数をもう一方の側に取付けられるように分けられている、請求項１〜４のいずれか１項に記載のディスプレイ。
【請求項７】
前記修復要素の前記ハーフリングの全ての取付セグメントが前記有効領域の同じ側にある、請求項１〜４のいずれか１項に記載のディスプレイ。
【請求項８】
前記修復要素（Ｅｋ）が、前記能動マトリクス基板の表面に堆積された第１の導体レベル（Ｍ１）に形成されていて、前記マトリクスの導線が、少なくとも１個の絶縁層（Ｉ１）により前記第１の導体レベル（Ｍ１）から分離されていてそれよりも上の第２の導体レベル（Ｍ２）にあるこれらの導体要素と交差する、請求項１〜７のいずれか１項に記載のディスプレイ。
【国際調査報告】
2013519924.tif 000018
2013519924.tif 000019
2013519924.tif 000020
2013519924.tif 000021